(57)【特許請求の範囲】
【請求項１】
上部に原稿画像を読み取る画像読取装置を配設し、この画像読取装置の下方に画像を印字出力する印字装置を配設した画像出力装置において、
前記印字装置から排紙された用紙を略水平に排出するストレート排紙路と、前記印字装置から排紙された用紙を上方に排紙する反転排紙路と、この反転排紙路から排紙された用紙を積層状態で格納する用紙スタッカと、この用紙スタッカの上部を略水平に覆う姿勢で前記画像読取装置に供給する原稿を載置する原稿ガイド位置と前記用紙スタッカの上部空間を開放する開放位置とに選択的に変位される原稿トレイと、前記ストレート排紙路と前記反転排紙路との分岐点に変位自在に配置されて前記原稿トレイの位置に応じて前記印字装置から排紙された用紙を前記ストレート排紙路又は前記反転排紙路に選択的に導く切替爪とを具備する画像出力装置。
【請求項２】
用紙スタッカは、開放位置に位置する原稿トレイの延長面上で排紙された用紙を支える受け板を具備する請求項１記載の画像出力装置。
【請求項３】
原稿トレイの変位位置に応じて切替爪を変位させる駆動手段を具備する請求項１又は２記載の画像出力装置。
【請求項４】
駆動手段は、切替爪に連結されて原稿トレイの変位により動作する少なくとも一つの連動部材により形成されている請求項３記載の画像出力装置。
【請求項５】
連動部材は、原稿トレイを原稿ガイド位置に変位させたときには用紙をストレート排紙路に導く方向に切替爪を変位させ、前記原稿トレイを開放位置に変位させたときには用紙を反転排紙路に導く方向に前記切替爪を変位させるように設けられている請求項４記載の画像出力装置。
【請求項６】
原稿トレイを開放位置に変位させたときに連動部材又は切替爪の一方向の動きを選択的に制限する制限部材を具備する請求項４記載の画像出力装置。
【請求項７】
駆動手段は、原稿トレイの位置を検出する検出手段の検出信号に応じて選択的に通電されて切替爪を変位させるアクチュエータを含む請求項３記載の画像出力装置。
【請求項８】
原稿トレイを原稿ガイド位置に変位させたときには用紙をストレート排紙路に導く方向に切替爪を変位させ、原稿トレイを開放位置に変位させたときには用紙を反転排紙路に導く方向に前記切替爪を変位させるようにデフォルトされてアクチュエータを駆動するアクチュエータ制御手段を具備する請求項７記載の画像出力装置。
【請求項９】
原稿トレイを原稿ガイド位置に変位させたときには用紙をストレート排紙路に導く方向に切替爪を変位させるようにアクチュエータの動作を制御し、原稿トレイを開放位置に変位させたときには前記アクチュエータの動作を選択する旨の選択信号を受け付けるアクチュエータ制御手段を具備する請求項７記載の画像出力装置。
【請求項１０】
原稿トレイを原稿ガイド位置に変位させたときには前記用紙トレイの変位動作を駆動力として用紙をストレート排紙路に導くストレート位置に前記切替爪を強制的に変位させ、前記原稿トレイを開放位置に変位させたときには、用紙を反転排紙路に導く反転位置に切替爪を付勢力により変位させ、又は手動操作により用紙を前記ストレート排紙路に導く位置に前記切替爪を変位させる前記請求項１記載の画像出力装置。
【請求項１１】
切替爪は、用紙を反転排紙路に導く反転位置から用紙をストレート排紙路に導くストレート位置までの距離を変位可能に設けられ、原稿トレイの変位動作に連動し前記原稿トレイを原稿ガイド位置に変位させたときに前記切替爪を前記ストレート位置に強制的に変位させ前記原稿トレイを開放位置に変位させたときに前記切替爪を自由状態に解放する連動部材と、前記切替爪を前記反転位置に向けて付勢する付勢部材と、前記切替爪を前記ストレート位置に変位させる手動操作部とを具備する請求項１記載の画像出力装置。
【請求項１２】
原稿トレイを原稿ガイド位置に変位させたときには、前記原稿トレイの変位動作によって用紙をストレート排紙路に導く第一のストレート位置に切替爪を強制的に変位させ、前記原稿トレイを開放位置に変位させたときには、前記切替爪を前記第一のストレート位置から用紙を反転排紙路に導く反転位置に向けて付勢力により復帰させ、又は用紙を前記ストレート排紙路に導く第二のストレート位置に前記切替爪を手動操作によって変位させる請求項１記載の画像出力装置。
【請求項１３】
切替爪は、用紙を反転排紙路に導く反転位置から用紙をストレート排紙路に導く第一のストレート位置を経てこの第一のストレート位置よりも前記反転位置から離れる位置であって用紙を前記ストレート排紙路に導く第二のストレート位置までの距離を変位可能に設けられ、前記切替爪を前記反転位置に向けて付勢する付勢部材と、原稿トレイの変位動作に連動し前記原稿トレイを原稿ガイド位置に変位させたときに前記切替爪を前記第一のストレート位置に強制的に変位させ前記原稿トレイを開放位置に変位させたときに前記切替爪を自由状態に解放する連動部材と、前記切替爪を前記第二のストレート位置に変位させる手動操作部と、前記第一のストレート位置と前記第二のストレート位置との間に配設されて前記付勢部材の付勢力よりも強い係止力をもって切替爪に弾性的に係止する係止部とを具備する請求項１記載の画像出力装置。
【請求項１４】
付勢部材は少なくとも第一のストレート位置から反転位置までの範囲で切替爪を反転位置方向に付勢する請求項１３記載の画像出力装置。
【請求項１５】
原稿トレイを原稿ガイド位置に変位させたときには、前記原稿トレイの変位動作によって用紙をストレート排紙路に導くストレート位置に切替爪を強制的に変位させて係止状態に保持し、前記切替爪が前記ストレート位置に位置する状態では前記原稿トレイを単独で開放位置に変位可能にし、前記原稿トレイを前記開放位置に変位させたときには、前記切替爪の係止状態を解除して前記ストレート位置から用紙を反転排紙路に導く反転位置に向けて手動操作により復帰可能にする請求項１記載の画像出力装置。
【請求項１６】
切替爪は、用紙を反転排紙路に導く反転位置から用紙をストレート排紙路に導く第一のストレート位置を経てこの第一のストレート位置よりも前記反転位置から離れる位置であって用紙を前記ストレート排紙路に導く第二のストレート位置までの距離を変位可能に設けられ、前記切替爪を少なくとも前記第一のストレート位置から前記反転位置に向けて付勢する付勢部材と、原稿トレイの変位動作に連動し前記原稿トレイを原稿ガイド位置に変位させたときに前記切替爪を前記第二のストレート位置に強制的に変位させ前記原稿トレイを開放位置に変位させたときに前記切替爪を自由状態に解放する連動部材と、前記切替爪を前記第一、第二のストレート位置の間を変位させる手動操作部と、前記第一のストレート位置と前記第二のストレート位置との間に配設されて前記付勢部材の付勢力よりも強い係止力をもって切替爪に弾性的に係止する係止部とを具備する請求項１記載の画像出力装置。
【発明の詳細な説明】
【０００１】
【発明の属する技術分野】
本発明は、原稿画像を読み取る機能とデータを用紙に印字出力する機能とを具備する画像出力装置に関する。
【０００２】
【従来の技術】
原稿画像を読み取る機能とデータを用紙に印字出力する機能とを具備する画像出力装置としては複写機やファクシミリが挙げられる。近来は、プリンタ、複写機、ファクシミリとしての多用な使用形態が得られるマルチファンクションタイプの画像出力装置が普及されている。
【０００３】
一方、印字済みの用紙を排紙する方式としては、画像成形部から排紙された用紙を方向を変えずに略水平に装置外に排紙するストレート排紙方式と、印字装置から排紙された用紙を上方に方向変換して排紙する反転排紙方式とがあり、両排紙方式を切り替えるようにした機種もある。
【０００４】
ストレート排紙方式は、ハガキ等のように厚くて曲がりにくい用紙を用いる場合に有利である。反転排紙方式は、装置の投影面積内に用紙を排紙するので、ストレート排紙方式に比して設置スペースを小さくすることができ、また、片面印字をした用紙を印字面を下にして頁の若い順に積み重ねて排紙するので、後で頁の順を揃える必要がないという利点がある。
【０００５】
【発明が解決しようとする課題】
ところで、原稿画像を読み取る画像読取装置を上部に備えた画像出力装置は、一般には画像読取装置に供給する原稿を載置するための原稿トレイを上面に備えているので、反転排紙方式を採用するためには、原稿トレイの下側に用紙スタッカを配置する必要がある。しかし、用紙スタッカのスペースを十分に確保すると全高寸法が高くなり、近来高まるコンパクト化の要求を満足することができず、用紙スタッカのスペースを制限すると、大きなサイズの用紙が原稿トレイにより進行を阻害されるためジャムが発生するおそれがある。
【０００６】
そこで、本発明の目的は、上部に原稿トレイを備えた画像出力装置において、限られたスペースを有効に利用して印字出力された用紙を原稿トレイ下の用紙スタッカに収納し、且つジャムの発生を防止することである。他の目的は、排紙方向の切り替えを確実に行わせることである。
【０００７】
【課題を解決するための手段】
請求項１記載の発明は、上部に原稿画像を読み取る画像読取装置を配設し、この画像読取装置の下方に画像を印字出力する印字装置を配設した画像出力装置において、前記印字装置から排紙された用紙を略水平に排出するストレート排紙路と、前記印字装置から排紙された用紙を上方に排紙する反転排紙路と、この反転排紙路から排紙された用紙を積層状態で格納する用紙スタッカと、この用紙スタッカの上部を略水平に覆う姿勢で前記画像読取装置に供給する原稿を載置する原稿ガイド位置と前記用紙スタッカの上部空間を開放する開放位置とに選択的に変位される原稿トレイと、前記ストレート排紙路と前記反転排紙路との分岐点に変位自在に配置されて前記原稿トレイの位置に応じて前記印字装置から排紙された用紙を前記ストレート排紙路又は前記反転排紙路に選択的に導く切替爪とを具備する。したがって、原稿トレイを原稿ガイド位置に変位させると画像読取装置に供給する原稿を原稿トレイ上に載置することが可能となる。また、原稿トレイを開放位置に変位させると用紙スタッカの上部空間が開放されるため、用紙スタッカのスペースが小さくても原稿トレイに進路を妨げられることなく用紙を用紙スタッカに格納することが可能となる。さらに、原稿トレイの位置に応じて切替爪が変位するため、印字後の用紙の排紙方向が切り替えられる。
【０００８】
請求項２記載の発明は、請求項１記載の発明において、用紙スタッカは、開放位置に位置する原稿トレイの延長面上で排紙された用紙を支える受け板を具備する。したがって、原稿トレイを開放位置に変位させると、その原稿トレイを利用して用紙の上部を支え、用紙の下部を用紙スタッカの受け板で支えることが可能となる。
【０００９】
請求項３記載の発明は、請求項１又は２記載の発明において、原稿トレイの変位位置に応じて切替爪を変位させる駆動手段を具備する。したがって、原稿トレイを原稿ガイド位置又は開放位置に変位させたときに、原稿トレイの変位位置に応じて動作する駆動手段により切替爪を所望の方向に変位させることが可能となる。
【００１０】
請求項４記載の発明は、請求項３記載の発明において、駆動手段は、切替爪に連結されて原稿トレイの変位により動作する少なくとも一つの連動部材により形成されている。したがって、原稿トレイを原稿ガイド位置又は開放位置に変位させたときの連動部材の変位動作によって、切替爪を所望の方向に変位させることが可能となる。
【００１１】
請求項５記載の発明は、請求項４記載の発明において、連動部材は、原稿トレイを原稿ガイド位置に変位させたときには用紙をストレート排紙路に導く方向に切替爪を変位させ、前記原稿トレイを開放位置に変位させたときには用紙を反転排紙路に導く方向に前記切替爪を変位させるように設けられている。したがって、原稿トレイを原稿ガイド位置に変位させたときに連動部材の一方向への変位動作によって、用紙をストレート排紙路に導く方向に切替爪を変位させ、原稿トレイを開放位置に変位させたときに連動部材の他方向への変位動作によって、用紙を反転排紙路に導く方向に切替爪を変位させることが可能となる。
【００１２】
請求項６記載の発明は、請求項４記載の発明において、原稿トレイを開放位置に変位させたときに連動部材又は切替爪の一方向の動きを選択的に制限する制限部材を具備する。したがって、原稿トレイを開放位置に変位させて用紙スタッカの上部空間を開放した場合でも、連動部材又は切替爪の動作を制限部材により制限することにより、用紙をストレート排紙路に排紙する使用形態を選択することが可能となる。
【００１３】
請求項７記載の発明は、請求項３記載の発明において、駆動手段は、原稿トレイの位置を検出する検出手段の検出信号に応じて選択的に通電されて切替爪を変位させるアクチュエータを含む。したがって、原稿トレイを原稿ガイド位置又は開放位置に変位させた状態は検出手段により検出され、この検出された状態に応じてアクチュエータの動作によって切替爪を所望の方向に変位させることが可能となる。
【００１４】
請求項８記載の発明は、請求項７記載の発明において、原稿トレイを原稿ガイド位置に変位させたときには用紙をストレート排紙路に導く方向に切替爪を変位させ、原稿トレイを開放位置に変位させたときには用紙を反転排紙路に導く方向に前記切替爪を変位させるようにデフォルトされてアクチュエータを駆動するアクチュエータ制御手段を具備する。したがって、原稿トレイを原稿ガイド位置に変位させたときにアクチュエータの動作によって、用紙をストレート排紙路に導く方向に切替爪を変位させ、原稿トレイを開放位置に変位させたときにアクチュエータの動作によって、用紙を反転排紙路に導く方向に切替爪を変位させることが可能となる。
【００１５】
請求項９記載の発明は、請求項７記載の発明において、原稿トレイを原稿ガイド位置に変位させたときには用紙をストレート排紙路に導く方向に切替爪を変位させるようにアクチュエータの動作を制御し、原稿トレイを開放位置に変位させたときには前記アクチュエータの動作を選択する旨の選択信号を受け付けるアクチュエータ制御手段を具備する。したがって、原稿トレイを開放位置に変位させて用紙スタッカの上部空間を開放した場合でも、アクチュエータの動作を制御することにより、用紙をストレート排紙路に排紙する使用形態を選択することが可能となる。
【００１６】
請求項１０記載の発明は、請求項１記載の発明において、原稿トレイを原稿ガイド位置に変位させたときには前記用紙トレイの変位動作を駆動力として用紙をストレート排紙路に導くストレート位置に前記切替爪を強制的に変位させ、前記原稿トレイを開放位置に変位させたときには、用紙を反転排紙路に導く反転位置に切替爪を付勢力により変位させ、又は手動操作により用紙を前記ストレート排紙路に導く位置に前記切替爪を変位させる。
【００１７】
したがって、原稿トレイを原稿ガイド位置に変位させたときには、切替爪を強制的にストレート位置に変位させるため、用紙をストレート排紙路に導くことが可能となる。また、原稿トレイを開放位置に変位させたときには、切替爪を反転位置に復帰させるため、用紙を反転排紙路に導いて用紙スタッカに格納することが可能となる。さらに、原稿トレイを開放位置に変位させた場合には、切替爪を手動操作によって用紙をストレート排紙路に導く位置に変位させることができるため、ストレート排紙路に用紙を排紙する使用形態を選択することも可能となる。  請求項１１記載の発明は、請求項１記載の発明において、切替爪は、用紙を反転排紙路に導く反転位置から用紙をストレート排紙路に導くストレート位置までの距離を変位可能に設けられ、原稿トレイの変位動作に連動し前記原稿トレイを原稿ガイド位置に変位させたときに前記切替爪を前記ストレート位置に強制的に変位させ前記原稿トレイを開放位置に変位させたときに前記切替爪を自由状態に解放する連動部材と、前記切替爪を前記反転位置に向けて付勢する付勢部材と、前記切替爪を前記ストレート位置に変位させる手動操作部とを具備する。
【００１８】
したがって、原稿トレイを原稿ガイド位置に変位させたときには、切替爪を連動部材により強制的にストレート位置に変位させるため、用紙をストレート排紙路に導くことが可能となる。また、原稿トレイを開放位置に変位させたときには、切替爪を連動部材から解放して付勢部材の付勢力により反転位置に変位させることが可能となるため、用紙を反転排紙路に導いて用紙スタッカに格納することが可能となる。さらに、原稿トレイを開放位置に変位させた場合には、切替爪を手動操作部によってストレート位置に変位させることで、用紙をストレート排紙路を介して排紙する使用形態を選択することも可能となる。
【００１９】
請求項１２記載の発明は、請求項１記載の発明において、原稿トレイを原稿ガイド位置に変位させたときには、前記原稿トレイの変位動作によって用紙をストレート排紙路に導く第一のストレート位置に切替爪を強制的に変位させ、前記原稿トレイを開放位置に変位させたときには、前記切替爪を前記第一のストレート位置から用紙を反転排紙路に導く反転位置に向けて付勢力により復帰させ、又は用紙を前記ストレート排紙路に導く第二のストレート位置に前記切替爪を手動操作によって変位させる。
【００２０】
したがって、原稿トレイを原稿ガイド位置に変位させたときには、切替爪を強制的に第一のストレート位置に変位させるため、用紙をストレート排紙路に導くことが可能となる。また、原稿トレイを開放位置に変位させたときには、切替爪が付勢力によって反転位置に変位するため、用紙を反転排紙路に導いて用紙スタッカに格納することが可能となる。さらに、原稿トレイを開放位置に変位させた場合には、切替爪を手動操作によって第二のストレート位置に変位させ、用紙をストレート排紙路を介して排紙する使用形態を選択することも可能となる。
【００２１】
請求項１３記載の発明は、請求項１記載の発明において、切替爪は、用紙を反転排紙路に導く反転位置から用紙をストレート排紙路に導く第一のストレート位置を経てこの第一のストレート位置よりも前記反転位置から離れる位置であって用紙を前記ストレート排紙路に導く第二のストレート位置までの距離を変位可能に設けられ、前記切替爪を前記反転位置に向けて付勢する付勢部材と、原稿トレイの変位動作に連動し前記原稿トレイを原稿ガイド位置に変位させたときに前記切替爪を前記第一のストレート位置に強制的に変位させ前記原稿トレイを開放位置に変位させたときに前記切替爪を自由状態に解放する連動部材と、前記切替爪を前記第二のストレート位置に変位させる手動操作部と、前記第一のストレート位置と前記第二のストレート位置との間に配設されて前記付勢部材の付勢力よりも強い係止力をもって切替爪に弾性的に係止する係止部とを具備する。
【００２２】
したがって、原稿トレイを原稿ガイド位置に変位させたときには、切替爪を連動部材により強制的に第一のストレート位置に変位させるため、用紙をストレート排紙路に導くことが可能となる。また、原稿トレイを開放位置に変位させたときには、切替爪が連動部材から解放され付勢力によって反転位置に変位するため、用紙を反転排紙路に導いて用紙スタッカに格納することが可能となる。さらに、原稿トレイを開放位置に変位させた場合には、切替爪を手動操作によって第二のストレート位置に変位させて係止部で係止状態に保持することにより、用紙をストレート排紙路を介して排紙する使用形態を選択することも可能となる。
【００２３】
請求項１４記載の発明は、請求項１３記載の発明において、付勢部材は少なくとも第一のストレート位置から反転位置までの範囲で切替爪を反転位置方向に付勢する。
【００２４】
したがって、原稿トレイを開放位置から原稿ガイド位置に向けて途中まで変位させて戻した場合には、付勢部材により切替爪を反転位置に復帰させることが可能となる。これにより、原稿トレイを開放位置に位置させた状態に合わせて用紙を用紙スタッカに排紙する使用形態に速やかに復帰させることができる。
【００２５】
請求項１５記載の発明は、請求項１記載の発明において、原稿トレイを原稿ガイド位置に変位させたときには、前記原稿トレイの変位動作によって用紙をストレート排紙路に導くストレート位置に切替爪を強制的に変位させて係止状態に保持し、前記切替爪が前記ストレート位置に位置する状態では前記原稿トレイを単独で開放位置に変位可能にし、前記原稿トレイを前記開放位置に変位させたときには、前記切替爪の係止状態を解除して前記ストレート位置から用紙を反転排紙路に導く反転位置に向けて手動操作により復帰可能にする。
【００２６】
したがって、原稿トレイを原稿ガイド位置に変位させたときには、切替爪を強制的にストレート位置に変位させて係止状態に保持するため、用紙をストレート排紙路に導くことが可能となる。また、切替爪をストレート位置に保持する状態では原稿トレイを単独で開放位置に変位させることができるため、原稿トレイを開放位置に変位させた状態で用紙をストレート排紙路に排紙することが可能あるとともに、手動操作により切替爪を保持状態から解除して反転位置に変位させることにより、原稿トレイを開放位置に変位させた状態で用紙を反転排紙路に導く使用形態に切り替えることが可能となる。
【００２７】
請求項１６記載の発明は、請求項１記載の発明において、切替爪は、用紙を反転排紙路に導く反転位置から用紙をストレート排紙路に導く第一のストレート位置を経てこの第一のストレート位置よりも前記反転位置から離れる位置であって用紙を前記ストレート排紙路に導く第二のストレート位置までの距離を変位可能に設けられ、前記切替爪を少なくとも前記第一のストレート位置から前記反転位置に向けて付勢する付勢部材と、原稿トレイの変位動作に連動し前記原稿トレイを原稿ガイド位置に変位させたときに前記切替爪を前記第二のストレート位置に強制的に変位させ前記原稿トレイを開放位置に変位させたときに前記切替爪を自由状態に解放する連動部材と、前記切替爪を前記第一、第二のストレート位置の間を変位させる手動操作部と、前記第一のストレート位置と前記第二のストレート位置との間に配設されて前記付勢部材の付勢力よりも強い係止力をもって切替爪に弾性的に係止する係止部とを具備する。
【００２８】
したがって、原稿トレイを原稿ガイド位置に変位させたときには、切替爪を連動部材により強制的に第二のストレート位置に変位させて係止部で係止状態に保持するため、用紙をストレート排紙路に導くことが可能となる。この状態で、原稿トレイを開放位置に変位させたときには、切替爪を係止部により第二のストレート位置に保持して用紙をストレート排紙路に排紙する使用形態に維持するが、手動操作部を操作して切替爪と係止部との係止状態を外すと、切替爪を付勢部材の付勢力によって反転位置に変位させるため、用紙を反転排紙路に導いて用紙スタッカに格納する使用形態を選択することが可能となる。
【００２９】
【発明の実施の形態】
本発明の実施の第一の形態を図１ないし図３に基づいて説明する。まず、図１を参照して画像出力装置の構造について説明する。画像出力装置の外筐をなす装置本体１の上部には原稿Ｄの画像を読み取る画像読取装置２が装着され、この画像読取装置２の下方には印字装置３が設けられている。この印字装置３の主要な構成ユニットとなるプロセスカートリッジ３ａの下方には用紙Ｓを案内する用紙搬送路４が形成されている。
【００３０】
前記画像読取装置２は、原稿Ｄの画像を読み取る読取部５と、この読取部５に向けて原稿Ｄを搬送する原稿搬送機構５ａとを有する。また、装置本体１の上部には原稿Ｄを載置する原稿トレイ６が設けられている。この原稿トレイ６は、仮想線で示す開放位置Ａから支点軸７を中心に実線で示す原稿ガイド位置Ｂまで回動し得るように支持され、その自由端側に補助トレイ６ａが引出自在に設けられている。装置本体１には、原稿トレイ６を開放位置Ａと原稿ガイド位置Ｂとで安定状態で支えるストッパ（図示せず）が設けられている。
【００３１】
前記プロセスカートリッジ３ａは、ケース状に形成されたユニット本体８に、感光体９を回転自在に設けるとともに、帯電部材１０と現像部１１とを感光体９の周囲に配置して取り付けることにより形成されている。感光体９の下方には、この感光体９に用紙搬送路４を間にして対向する転写部１２が設けられている。現像部１１は、前記ユニット本体８に一体に形成された現像剤容器１３と、この現像剤容器１３の内部に収納された現像剤を撹拌する回転自在の撹拌器１４と、感光体９に接触する現像ローラ１５と、この現像ローラ１５に現像剤を供給する供給ローラ１６と、現像ローラ１５に接触されたブレード１７とを有する。さらに、プロセスカートリッジ３ａの上部には、印字装置３の一構成部品をなし、画像信号に基づいて変調されたレーザ光を感光体９の帯電部分に走査することにより静電潜像を形成する潜像形成部１８が設けられている。
【００３２】
また、前記装置本体１の一側には、前記画像読取装置２により読み取られた原稿Ｄを支持するとともに、用紙Ｓを斜めに載置状態で支えるトレイ１９が設けられ、このトレイ１９の下方には、回転駆動される給紙ローラ２０と、一方向に付勢されてトレイ１９上の用紙Ｓを給紙ローラ２０に圧接する押圧板２１と、給紙ローラ２０に弾性的に接触することにより用紙Ｓの重送を阻止する分離パッド２２と、給紙ローラ２０に用紙Ｓを圧接する従動回転自在のピンチローラ２３とが設けられている。
【００３３】
給紙ローラ２０、分離パッド２２、ピンチローラ２３は前記用紙搬送路４の入口側に配置されている。この用紙搬送路４には、給紙ローラ２０よりも下流側に位置するボトムパス２４が連通されている。さらに、用紙搬送路４の下流側には、用紙Ｓ上に転写された画像を定着する定着部２５が配置されている。
【００３４】
さらに、前記装置本体１は一端に開閉カバー１ａを具備し、この開閉カバー１ａには、定着部２５の上方と前記原稿トレイ６との間に配置された用紙スタッカ２６が形成されている。この用紙スタッカ２６は、原稿トレイ６を仮想線で示すように上方の開放位置Ａに回動させたときに、その上方に回動させた状態の原稿トレイ６の延長面上に位置して用紙Ｓを支える受け板２７を有している。なお、用紙スタッカ２６の上部は開放されている。
【００３５】
さらに、トレイ１９とは反対側の装置本体１の端部付近には、印字装置３の一構成部品となる定着部２５から排紙された用紙Ｓを開閉カバー１ａの下端との間で水平方向に排紙するストレート排紙路２８と、定着部２５から排紙された用紙Ｓを反転させて用紙スタッカ２６に導く反転排紙路２９とが形成されている。この反転排紙路２９の上部と下部とには、それぞれ対をなす排紙ローラ３０が配置され、反転排紙路２９の下部には、用紙Ｓの排出方向を切り替える切替爪３１が、仮想線で示す反転位置ａから実線で示すストレート位置ｂまでの間を支軸３２により回動自在に設けられている。また、ストレート排紙路２８の端部には排紙口２８ａが形成されている。
【００３６】
ここで、図２及び図３に示すように、原稿トレイ６の変位位置に応じて切替爪３１を変位させる駆動手段としての連動部材３３が用紙スタッカ２６の側方に上下動自在に設けられている。この連動部材３３は、この連動部材３３に形成した上下方向に長い複数の長孔３４に、装置本体１に設けたピン３５を嵌合させることで垂直方向に動くように支持されている。この連動部材３３はスプリング（図示せず）により上方に付勢されているが、長孔３４の下端とピン３５との当接により上方への動きが制限されている。また、切替爪３１は付勢部材（コイルスプリング３１ａにより支軸３２を中心に反時計方向に付勢され、その端部が連動部材３３の下端に当接されている。
【００３７】
次に、画像読取動作と印刷動作について説明する。原稿Ｄの画像を読み取る場合には、図１に実線で示すように、原稿トレイ６を原稿ガイド位置Ｂに変位させ、この水平状態に維持された原稿トレイ６の上に原稿Ｄを載置して原稿搬送機構５ａにより読取部５に原稿Ｄを供給する。このように、原稿トレイ６を実線で示すように原稿ガイド位置Ｂに変位させた状態では、図２に示すように連動部材３３が原稿トレイ６によって下方に押し下げられて下端で切替爪３１の端部上面を押圧するので、切替爪３１は定着部２５から排紙される用紙Ｓを排紙口２８ａに導くストレート位置ｂに変位する。
【００３８】
原稿トレイ６から供給された原稿Ｄは読取部５により画像が読み取られ、トレイ１９の上部に立てかけ状態で支持される。このようにして読み取った画像は、外部に送信（ファクシミリの送信モードとしての使用形態）し、或いは、トレイ１９から用紙Ｓを給紙してこの用紙Ｓに読取画像を印字（複写機としての使用形態）することができる。或いは、外部から送信された画像を用紙Ｓに印字（ファクシミリの受信モードとしての使用形態）することができる。
【００３９】
印字する場合は、図１において、感光体９を時計方向に回転させる過程でその表面を帯電部材１０により帯電し、原稿Ｄの読取画像又は外部から受信した画像に基づいて潜像形成部１８によって感光体９の帯電部分に静電潜像が形成される。この静電潜像は現像部１１により現像される。この現像画像は、給紙ローラ２０によりトレイ１９から給紙された用紙Ｓに転写される。画像が転写された用紙Ｓは定着部２５を通過するときに定着され、切替爪３１によりストレート排紙路２８に導かれ排紙口２８ａから装置本体１の外部に排紙される。
【００４０】
パーソナルコンピュータ等により作成した印字データを印字出力するような使用形態では、原稿Ｄの画像を読み取る必要がないので、図１の仮想線で示すように、支点軸７を中心に原稿トレイ６を上方の開放位置Ａに回動させる。この状態では、図３に示すように、連動部材３３は原稿トレイ６から解放されるためスプリングの付勢力により上昇する。その上昇位置は長孔３４の下端とピン３５との当接により定められる。このように連動部材３３が上昇すると、それまで連動部材３３の下端に押えられていた切替爪３１が付勢部材３１ａの付勢力により支軸３２を中心に反転位置ａに回動して水平なストレート排紙路２８を遮断する状態に維持される。この状態では、定着部２５から排紙された用紙Ｓは切替爪３１により反転排紙路２９に導かれて用紙スタッカ２６に格納される。
【００４１】
この状態では、原稿トレイ６は開放位置Ａに位置して用紙スタッカ２６の上部空間を開放するので、用紙Ｓは原稿トレイ６により進路を妨げられることなく用紙スタッカ２６に格納される。これにより、反転排紙路２９や用紙スタッカ２６の部分で用紙Ｓが停滞することがなく、したがってジャムの発生を防止することができる。また、開放位置Ａに変位した原稿トレイ６と用紙スタッカ２６の受け板２７とは同一平面内に位置するため、サイズの大きな用紙Ｓを用いた場合でも、用紙Ｓの下部を受け板２７で支え上部を原稿トレイ６を利用して支えることができる。したがって、用紙スタッカ２６内に用紙Ｓを整然と積層することができる。
【００４２】
このように、原稿トレイ６を用紙スタッカ２６の上部空間を開放する開放位置Ａに変位させることにより、原稿トレイ６の下方に形成する用紙スタッカ２６のスペースを小さくすることができ、これにより、装置本体１の全高寸法を低くしてコンパクト化を図ることができる。
【００４３】
さらに、原稿トレイ６を原稿ガイド位置Ｂに変位させたときには連動部材３３の一方向（下方）への変位動作によって、用紙Ｓをストレート排紙路２８に導くストレート位置ｂに切替爪３１を変位させ（図２に示す状態）、原稿トレイ６を開放位置Ａに変位させたときには連動部材３３の他方向（上方）への変位動作によって、用紙Ｓを反転排紙路２９に導く反転位置ａに切替爪３１を変位させる（図３に示す状態）ことができるので、切替爪３１を変位させるためだけの操作が不要となる。しかも、原稿トレイ６を原稿ガイド位置Ｂに変位させた状態では用紙スタッカ２６の上部空間が覆われてしまうが、この状態では用紙Ｓがストレート排紙路２８を経て排紙口２８ａに導かれるように切替爪３１が自動的に変位するため、切替爪３１の操作ミスを防止することができ、これにより、誤って用紙Ｓを用紙スタッカ２６に排紙することによるジャムの発生を未然に防止することができる。
【００４４】
次に、発明の実施の第二の形態を図４を参照して説明する。図１ないし図３を用いて説明した部分と同一部分は同一符号を用い説明も省略する。本実施の形態では、原稿トレイ６を開放位置Ａ（図１参照）に変位させたときに連動部材３３（又は切替爪３１）の一方向の動きを選択的に制限する制限部材３６を具備する。すなわち、図３を参照して説明したように、原稿トレイ６を開放位置Ａに回動させた場合には、連動部材３３が上昇し、切替爪３１が反時計方向に回動して用紙Ｓを反転排紙路２９に導く状態に維持されるが、本実施の形態では、弾性的に屈撓することにより制限部材３６に係脱自在に係合する係止片３７を連動部材３３に一体に形成することにより、原稿トレイ６を開放位置Ａに回動させた場合における連動部材３３の上方への移動を制限部材３６と係止片３７との係合により制限するように構成されている。
【００４５】
したがって、原稿トレイ６を開放位置Ａに変位させて用紙スタッカ２６の上部空間を開放した場合でも、用紙Ｓを水平なストレート排紙路２８に排紙する使用形態を選択することができる。これにより、ハガキ等のように腰が強く曲がりにくい用紙Ｓに印字する場合には、用紙Ｓに曲げ癖を付けることなく排紙することができる。
【００４６】
このように構成した場合でも、制限部材３６を係止片３７から一時的に退避させて連動部材３３をスプリングの付勢力により上昇させ、或いは、連動部材３３に上方への外力を付与し係止片３７を弾性的に屈撓させて連動部材３３を強制的に上昇させることにより、用紙Ｓを反転排紙路２９に導く反転位置ａ（図１参照）に切替爪３１を変位させることができる。
【００４７】
このように連動部材３３を上昇させると係止片３７の下端は制限部材３６の上方に位置するが、その状態から原稿トレイ６を原稿ガイド位置Ｂに変位させると、原稿トレイ６により押圧された連動部材３３は係止片３７を弾性的に撓ませてその先端が制限部材３６に係合する位置まで下降するので、用紙スタッカ２６の上部空間が原稿トレイ６により覆われた場合には、印字後の用紙Ｓの排紙先が用紙スタッカ２６ではなく排紙口２８ａに定められる。したがって、原稿トレイ６により上部空間が覆われた状態の用紙スタッカ２６に誤って用紙Ｓを排紙することによるジャムの発生を未然に防止することができる。
【００４８】
次に、本発明の実施の第三の実施の形態を図５を参照して説明する。前実施の形態において説明した部分と同一部分は同一符号を用い説明も省略する。本実施の形態は、原稿トレイ６の位置に応じて切替爪３１を変位させる駆動手段として、前実施の形態における連動部材３３に代えてアクチュエータの一種であるソレノイド３８を用いた例である。切替爪３１は前実施の形態と同様に付勢部材３１ａにより反時計方向に付勢されて支軸３２を中心に回動自在に設けられている。そして、ソレノイド３８は通電したときにプランジャ３９を吸引するもので、このプランジャ３９の下端は切替爪３１の反時計方向への回動動作を阻止するように切替爪３１の端部に当接されている。また、本実施の形態では、装置本体１には、原稿ガイド位置Ｂ又は開放位置Ａ（図１参照）に位置する原稿トレイ６を光学的に検出する検出器（図示せず）が設けられ、この検出器の出力をＣＰＵにより監視するして原稿トレイ６が原稿ガイド位置Ｂに位置するか、開放位置Ａに位置するかを判断する検出手段（図示せず）を具備している。この検出手段からの信号を基にソレノイド３８への通電がアクチュエータ制御手段（図示せず）により制御されるように構成されている。
【００４９】
この例では、原稿トレイ６を原稿ガイド位置Ｂに変位させたときには用紙Ｓをストレート排紙路２８に導くストレート位置ｂに切替爪３１を変位させ、原稿トレイ６を開放位置Ａに変位させたときには用紙Ｓを反転排紙路２９に導く反転位置ａ（図１参照）に切替爪３１を変位させるようにデフォルトされてソレノイド３８を駆動するアクチュエータ制御手段を具備する。
【００５０】
すなわち、原稿トレイ６を原稿ガイド位置Ｂに変位させたときには、ソレノイド３８は通電されない。これにより、ソレノイド３８はプランジャ３９を突出させた状態に維持され、プランジャ３９の下端で切替爪３１の反時計方向への回動運動を阻止する。これにより、定着部２５から排紙された用紙Ｓは切替爪３１により導かれて水平なストレート排紙路２８を介して排紙口２８ａに排紙される。
【００５１】
原稿トレイ６を開放位置Ａに変位させたときには、ソレノイド３８が通電されてプランジャ３９を吸引するので、それまでプランジャ３９の下端により反時計方向への回動運動が阻止されていた切替爪３１は、付勢部材３１ａの付勢力により支軸３２を中心に反時計方向に回動する。これにより、定着部２５から排紙された用紙Ｓは切替爪３１により導かれて反転排紙路２９に向けて排紙される。
【００５２】
このように、原稿トレイ６を原稿ガイド位置Ｂに変位させた状態では用紙スタッカ２６の上部空間が覆われてしまうが、この状態では用紙Ｓがストレート排紙路２８を経て排紙口２８ａに導かれるように切替爪３１の向きが定められるため、誤って用紙Ｓを用紙スタッカ２６に排紙することによるジャムの発生を未然に防止することができる。
【００５３】
次に、本発明の実施の第四の形態を図５を参照して説明する。前実施の形態と同一部分については説明を省略する。本実施の形態では、原稿トレイ６を原稿ガイド位置Ｂ（図１参照）に変位させたときには用紙Ｓをストレート排紙路２８に導くストレート位置ｂに切替爪３１を保持するようにソレノイド３８の動作を制御し、原稿トレイ６を開放位置Ａに変位させたときにはソレノイド３８の動作を選択する旨の選択信号を受け付けるアクチュエータ制御手段（図示せず）を具備する。
【００５４】
具体的には、原稿トレイ６を原稿ガイド位置Ｂに変位させて用紙スタッカ２６の上部空間を覆う状態をＣＰＵが検出器の検出信号により認識した場合には、ソレノイド３８は通電されない。これにより、ソレノイド３８はプランジャ３９を突出させた状態に維持され、プランジャ３９の下端で切替爪３１の反時計方向への回動運動を阻止する。これにより、定着部２５から排紙された用紙Ｓは切替爪３１により導かれて水平なストレート排紙路２８を介して排紙口２８ａに排紙される。
【００５５】
一方、原稿トレイ６を開放位置Ａに変位させて用紙スタッカ２６の上部空間を開放した状態をＣＰＵが検出器の検出信号により認識した場合には、ソレノイド３８への通電を選択できるように構成されている。この選択は、図示しない操作パネルからの入力によってなされる。このようにすることにより、原稿トレイ６を開放位置Ａに変させた場合に、ソレノイド３８に電流を流して切替爪３１を反時計方向に変位させ、用紙Ｓを反転排紙路２９に導いたり、或いは、ソレノイド３８に電流を流さないで切替爪３１を水平状態に維持して用紙Ｓをストレート排紙路２８に導いて排紙口２８ａから排紙することができる。
【００５６】
したがって、原稿トレイ６を開放位置Ａに変位させて用紙スタッカ２６の上部空間を開放した場合でも、ハガキ等のように腰が強く曲がりにくい用紙Ｓに印字する場合には、用紙Ｓに曲げ癖を付けることなく排紙口２８ａから排紙する使用形態を選択することができる。
【００５７】
さらに、本発明の実施の第五の形態を図６ないし図１１に基づいて説明する。図１において説明した部分と同一部分は同一符号を用い説明も省略する。図６は画像出力装置の内部構造を示す縦断側面図、図７は開閉カバー１ａを装置本体１（図６参照）の内側より見た背面図、図８は開閉カバー１ａを装置本体１の正面外側より見た正面図、図９は原稿トレイ６を開放位置Ａに変位させたときの切替爪４２の状態を開閉カバー１ａとともに示す縦断側面図、図１０は原稿トレイ６を原稿ガイド位置Ｂに変位させたときの切替爪４２の状態を開閉カバー１ａとともに示す縦断側面図、図１１は切替爪４２の動作位置を開閉カバー１ａとともに示す縦断側面図である。
【００５８】
装置本体１はヒンジ片４０により回動可能な開閉カバー１ａを備えている。開閉カバー１ａには下縁に切欠された排紙口２８ａと用紙を用紙スタッカ２６に導く複数のガイドリブ４１とが形成されている。そして、開閉カバー１ａには、排紙口２８ａに沿う切替爪４２と、原稿トレイ６の回動動作に連動する連動部材４３，４４とが設けられている。
【００５９】
図９及び図１０に示すように、切替爪４２は両側端部が支軸４５により回動自在に支持され、この支軸４５には切替爪４２を付勢する付勢部材（捻じりコイルスプリング）４６が保持されている。図１１に示すように、切替爪４２の一側端部にはピン４７を有する突片４８が形成されている。また、開閉カバー１ａの片側の側壁１ｂにはピン４７を突出させる長孔４９が形成されている。この長孔４９は、支軸４５を中心とする半径に沿って弧状の形状に形成され、ピン４７の移動範囲を制限することで切替爪４２の回動範囲を定める。図６、図１１を参照すれば、切替爪４２は、用紙Ｓを反転排紙路２９に導く反転位置ａから用紙Ｓをストレート排紙路２８に導く第一のストレート位置ｂを経てこの第一のストレート位置ｂよりも反転位置ａから離れる位置であって用紙Ｓをストレート排紙路２８に導く第二のストレート位置ｃまでの距離を変位可能に設けられている。
【００６０】
切替爪４２は付勢部材４６により第二のストレート位置ｃから反転位置ａ側に向けて付勢されているが、切替爪４２を第二のストレート位置ｃに変位させたときには、付勢部材４６の付勢力より強い係止力をもって切替爪４２のピン４７に弾性的に係止する係止部（突起）５０が位置ｂ，ｃの間に配置されて長孔４９の下縁に形成されている。さらに、切替爪４２の片側の端部には、この切替爪４２を手動により第二のストレート位置ｃに変位させる手動操作部（摘み）５１が一体に形成されている。
【００６１】
図９及び図１０に示すように、連動部材４３は開閉カバー１ａに形成されたスリット５２に出没自在に支持され、先端がスリット５２から突出するようにスプリング５３により付勢されている。もう一方の連動部材４４は支軸５４により開閉カバー１ａに回動自在に支持され、その上端には連動部材４３に挾持されたローラ状の部材５５が設けられ、下端には切替爪４２の一部（突片４８）を押圧する押圧部５６が形成されている。
【００６２】
すなわち、図９に示すように、原稿トレイ６を開放位置Ａに変位させたときには、連動部材４３を原稿トレイ６により押圧してスプリング５３の付勢力に抗して後退させ、この後退動作に連動させて支軸５４を中心に連動部材４４を反時計方向に回動させて切替爪４２を自由状態に解放し、付勢部材４６の付勢力により切替爪４２を反転位置ａに変位させ、図１０に示すように、原稿トレイ６を原稿ガイド位置Ｂに変位させたときには、連動部材４３をスプリング５３の付勢力によりスリット５２から進出させ、この進出動作に連動させて支軸５４を中心に連動部材４４を時計方向に回動させ、このときの連動部材４４の回動運動により押圧部５６で切替爪４２を押圧し、切替爪４２を強制的に第一のストレート位置ｂに変位させるように構成されている。
【００６３】
図９に示すように、原稿トレイ６を開放位置Ａに変位させたときには切替爪４２が反転位置ａに変位するため、印刷済みの用紙は切替爪４２により反転排紙路２９に導かれて用紙スタッカ２６に格納される。また、図１０に示すように、原稿トレイ６を原稿ガイド位置Ｂに変位させたときには切替爪４２が第一のストレート位置ｂに変位するため、印刷済みの用紙は切替爪４２によりストレート排紙路２８に導かれる。
【００６４】
図６に示す画像出力装置の操作パネルＰは、原稿トレイ６を原稿ガイド位置Ｂに変位させた状態で全面が開放され、原稿トレイ６を開放位置Ａに変位させた状態で覆われる位置に配置されている。原稿トレイ６を開放位置Ａに立てている状態において、操作パネルＰの状態を確認しようとして、或いは他の理由で原稿トレイ６を原稿ガイド位置Ｂ側に向けて少しだけ倒すことがあるが、このように原稿トレイ６を中途半端に倒した場合でも、原稿トレイ６の回動動作が連動部材４３，４４を介して切替爪４２に伝達されるため、切替爪４２が反転位置ａと第一のストレート位置ｂとの間の中間部に位置することがあるが、原稿トレイ６はこれを把持する手を離せば自重により原稿ガイド位置Ｂ又は開放位置Ａに回動する。したがって、切替爪４２が中途半端な位置に留まる状態があっても、原稿トレイ６が原稿ガイド位置Ｂに戻れば、前述のように切替爪４２を強制的に第一のストレート位置ｂ（図１０）に変位させ、原稿トレイ６が開放位置Ａに戻れば、連動部材４４が切替爪４２から離れるので、切替爪４２を付勢部材４６によって反転位置ａ（図９）に変位させることができる。これにより、切替爪４２が中途半端な位置で停止することによる通紙不可、すなわちジャムの発生を防止することができる。
【００６５】
上述のように、原稿トレイ６を原稿ガイド位置Ｂに変位させた状態では、用紙スタッカ２６の上部空間が閉塞されるため、切替爪４２を第一のストレート位置ｂに強制的に変位させる必要があるが、原稿トレイ６を開放位置Ａに変位させた場合には、必ずしも用紙を用紙スタッカ２６に排紙する使用形態に限定されるものではなく、用紙をストレート排紙路２８から排紙させる使用形態を選択することができる。この場合には、図９に示す状態から手動操作部５１を把持して切替爪４２を第二のストレート位置ｃに回動させることができる。このとき、図１１な示すように、切替爪４２のピン４７が突起状の係止部５０を乗り越え、この係止部５０による係止力が付勢部材４６の付勢力よりも強いため、付勢部材４６の付勢力は切替爪４２を反転位置ａに復帰させる復帰力として及ばない。
【００６６】
すなわち、原稿ガイド位置Ｂは、この例では原稿トレイ６を原稿ガイド位置Ｂに変位させたときに、切替爪４２を第一のストレート位置ｂまでしか変位させない位置に定められているので、原稿トレイ６を開放位置Ａに変位させたときには、切替爪４２を付勢部材４６の付勢力により反転位置ａに戻して用紙Ｓを用紙スタッカ２６に排紙する使用形態が選択される。
【００６７】
しかし、原稿ガイド位置Ｂは、原稿トレイ６を原稿ガイド位置Ｂに変位させたときには、その変位動作で連動部材４３，４４を介して切替爪４２を第二のストレート位置ｃまで変位させる位置に定めてもよい。このようにすることにより、原稿トレイ６を開放位置Ａから原稿ガイド位置Ｂまで変位させた場合には、原稿トレイ６を再び開放位置Ａに変位させても切替爪４２を係止部５０で保持して用紙Ｓをストレート排紙路２８に排紙する使用形態に維持することが可能となる。原稿トレイ６を開放位置Ａに位置させた状態で用紙を反転排紙路２９を介して用紙スタッカ２６に排紙する使用形態に戻す場合には、手動操作部５１を操作することで切替爪４２を第二のストレート位置ｃから第一のストレート位置ｂに戻し、手動操作力又は付勢部材４６の付勢力により反転位置ａに復帰させることが可能となる。
【００６８】
次に、本発明の実施の第六の形態を図１２に基づいて説明する。本実施の形態は、図１１に示した係止部５０を備えていない例である。この例は、原稿トレイ６を原稿ガイド位置Ｂに変位させることにより、切替爪４２をストレート位置（第一のストレート位置ｂ又は第二のストレート位置ｃ）に強制的に変位させ、原稿トレイ６を開放位置Ａに変位させた場合には、切替爪４２を付勢部材４６の付勢力により反転位置ａに戻し、或いは、付勢部材４６の付勢力に抗して手動操作部５１を押し続けることで切替爪４２をストレート位置（第一のストレート位置ｂ又は第二のストレート位置ｃ）に位置させ、用紙Ｓをストレート排紙路２８に排紙する状態を維持し得るように構成したものである。
【００６９】
この例は、原稿トレイ６を開放位置Ａに変位させた状態では、原則的に用紙を反転排紙路２９により用紙スタッカ２６に導き、用紙Ｓをストレート排紙する場合に、手動で切替爪４２を第一、第二のストレートｂ又はｃに変位させる。
【００７０】
【発明の効果】
請求項１記載の発明は、上部に原稿画像を読み取る画像読取装置を配設し、この画像読取装置の下方に画像を印字出力する印字装置を配設した画像出力装置において、印字装置から排紙された用紙を略水平に排出するストレート排紙路と、排紙された用紙を上方の用紙スタッカに向けて排紙する反転排紙路とを設け、用紙スタッカの上部を略水平に覆う姿勢で画像読取装置に供給する原稿を載置する原稿ガイド位置と用紙スタッカの上部空間を開放する開放位置とに選択的に変位される原稿トレイを設け、この原稿トレイの位置に応じて印字装置から排紙された用紙をストレート排紙路又は反転排紙路に選択的に導く切替爪を設けたので、原稿トレイを原稿ガイド位置に変位させると画像読取装置に供給する原稿を原稿トレイ上に載置することができる。また、原稿トレイを開放位置に変位させると用紙スタッカの上部空間が開放されるため、用紙スタッカのスペースが小さくても原稿トレイに進路を妨げられることなく用紙を用紙スタッカに格納することができ、これにより、画像出力装置の全高寸法を低くしてコンパクト化を図ることができ、また、用紙スタッカにおけるジャムの発生を防止することができ、さらに、原稿トレイの位置に応じて切替爪が変位するため、原稿トレイの位置に応じて印字後の用紙の排紙先を選択することができる。
【００７１】
請求項２記載の発明は、請求項１記載の発明において、用紙スタッカは、開放位置に位置する原稿トレイの延長面上で排紙された用紙を支える受け板を具備するので、原稿トレイを開放位置に変位させると、その原稿トレイを利用して用紙の上部を支え、用紙の下部を用紙スタッカの受け板で支えることができる。従って、用紙スタッカに用紙を整然と積層した状態で格納することができる。
【００７２】
請求項３記載の発明は、請求項１又は２記載の発明において、原稿トレイの変位位置に応じて切替爪を変位させる駆動手段を具備するので、原稿トレイを原稿ガイド位置又は開放位置に変位させたときに、切替爪を駆動手段によって所望の方向に変位させることができる。
【００７３】
請求項４記載の発明は、請求項３記載の発明において、駆動手段は、切替爪に連結されて原稿トレイの変位により動作する少なくとも一つの連動部材により形成されているので、切替爪を変位させるだけの操作をすることなく、原稿トレイの変位動作に連動する連動部材の変位動作によって、切替爪を所望の方向に変位させることができる。
【００７４】
請求項５記載の発明は、請求項４記載の発明において、連動部材は、原稿トレイを原稿ガイド位置に変位させたときには用紙をストレート排紙路に導く方向に切替爪を変位させ、原稿トレイを開放位置に変位させたときには用紙を反転排紙路に導く方向に前記切替爪を変位させるように設けられているので、原稿トレイを原稿ガイド位置に変位させたときに連動部材の一方向への変位動作によって、用紙をストレート排紙路に導く方向に切替爪を変位させ、原稿トレイを開放位置に変位させたときに連動部材の他方向への変位動作によって、用紙を反転排紙路に導く方向に切替爪を変位させることができる。従って、原稿トレイにより上部空間が覆われた状態の用紙スタッカに用紙を誤って排紙することによるジャムの発生を未然に防止することができる。
【００７５】
請求項６記載の発明は、請求項４記載の発明において、原稿トレイを開放位置に変位させたときに連動部材又は切替爪の一方向の動きを選択的に制限する制限部材を具備するので、原稿トレイを開放位置に変位させて用紙スタッカの上部空間を開放した場合でも、連動部材又は切替爪の動作を制限部材により制限することにより、腰が強く曲がりにくいハガキ等の用紙をストレート排紙路に排紙する使用形態を選択することができる。
【００７６】
請求項７記載の発明は、請求項３記載の発明において、駆動手段は、原稿トレイの位置を検出する検出手段の検出信号に応じて選択的に通電されて切替爪を変位させるアクチュエータを含むので、原稿トレイを原稿ガイド位置又は開放位置に変位させた状態を検出手段により検出し、その検出状態に応じてアクチュエータの動作によって切替爪を所望の方向に変位させることができる。
【００７７】
請求項８記載の発明は、請求項７記載の発明において、原稿トレイを原稿ガイド位置に変位させたときには用紙をストレート排紙路に導く方向に切替爪を変位させ、原稿トレイを開放位置に変位させたときには用紙を反転排紙路に導く方向に前記切替爪を変位させるようにデフォルトされてアクチュエータを駆動するアクチュエータ制御手段を具備するので、原稿トレイを原稿ガイド位置に変位させたときにアクチュエータの動作によって、用紙をストレート排紙路に導く方向に切替爪を変位させ、原稿トレイを開放位置に変位させたときにアクチュエータの動作によって、用紙を反転排紙路に導く方向に切替爪を変位させることができる。従って、原稿トレイにより上部空間が覆われた状態の用紙スタッカに用紙を誤って排紙することによるジャムの発生を未然に防止することができる。
【００７８】
請求項９記載の発明は、請求項７記載の発明において、原稿トレイを原稿ガイド位置に変位させたときには用紙をストレート排紙路に導く方向に切替爪を変位させるようにアクチュエータの動作を制御し、原稿トレイを開放位置に変位させたときには前記アクチュエータの動作を選択する旨の選択信号を受け付けるアクチュエータ制御手段を具備するので、原稿トレイを開放位置に変位させて用紙スタッカの上部空間を開放した場合でも、アクチュエータの動作を制御することにより、腰が強く曲がりにくいハガキ等の用紙を用紙をストレート排紙路に排紙する使用形態を選択することができる。
【００７９】
請求項１０記載の発明は、請求項１記載の発明において、原稿トレイを原稿ガイド位置に変位させたときには用紙トレイの変位動作を駆動力として用紙をストレート排紙路に導くストレート位置に前記切替爪を強制的に変位させ、前記原稿トレイを開放位置に変位させたときには、用紙を反転排紙路に導く反転位置に切替爪を付勢力により変位させ、又は手動操作により用紙を前記ストレート排紙路に導く位置に前記切替爪を変位させるので、原稿トレイを原稿ガイド位置に変位させたときには、切替爪を強制的にストレート位置に変位させて用紙をストレート排紙路に導く使用形態を得ることができる。原稿トレイを開放位置に変位させたときには、切替爪を反転位置に復帰させて用紙を反転排紙路に導いて用紙スタッカに格納する使用形態を得ることができる。さらに、原稿トレイを開放位置に変位させた場合には、切替爪を手動操作によって用紙をストレート排紙路に導く位置に変位させてストレート排紙路に用紙を排紙する使用形態を選択することも可能となる。
【００８０】
請求項１１記載の発明は、請求項１記載の発明において、切替爪は、用紙を反転排紙路に導く反転位置から用紙をストレート排紙路に導くストレート位置までの距離を変位可能に設けられ、原稿トレイの変位動作に連動し原稿トレイを原稿ガイド位置に変位させたときに切替爪を前記ストレート位置に強制的に変位させ原稿トレイを開放位置に変位させたときに切替爪を自由状態に解放する連動部材と、切替爪を反転位置に向けて付勢する付勢部材と、切替爪をストレート位置に変位させる手動操作部とを具備するので、原稿トレイを原稿ガイド位置に変位させたときには、切替爪を連動部材により強制的にストレート位置に変位させて用紙をストレート排紙路に導く使用形態を得ることができ、原稿トレイを開放位置に変位させたときには、切替爪を連動部材から解放して付勢部材の付勢力により反転位置に変位させ、用紙を反転排紙路に導いて用紙スタッカに格納する使用形態を得ることができる。さらに、原稿トレイを開放位置に変位させた場合には、切替爪を手動操作部によってストレート位置に変位させて用紙をストレート排紙路を介して排紙する使用形態を選択することもできる。
【００８１】
請求項１２記載の発明は、請求項１記載の発明において、原稿トレイを原稿ガイド位置に変位させたときには、原稿トレイの変位動作によって用紙をストレート排紙路に導く第一のストレート位置に切替爪を強制的に変位させ、原稿トレイを開放位置に変位させたときには、切替爪を第一のストレート位置から用紙を反転排紙路に導く反転位置に向けて付勢力により復帰させ、又は用紙をストレート排紙路に導く第二のストレート位置に切替爪を手動操作によって変位させるので、原稿トレイを原稿ガイド位置に変位させたときには、切替爪を強制的に第一のストレート位置に変位させて用紙をストレート排紙路に導く使用形態を得ることができる。また、原稿トレイを開放位置に変位させたときには、切替爪を付勢力によって反転位置に変位させて用紙を反転排紙路に導いて用紙スタッカに格納する使用形態を得ることができる。さらに、原稿トレイを開放位置に変位させた場合には、切替爪を手動操作によって第二のストレート位置に変位させて用紙をストレート排紙路を介して排紙する使用形態を選択することもできる。
【００８２】
請求項１３記載の発明は、請求項１記載の発明において、切替爪は、用紙を反転排紙路に導く反転位置から用紙をストレート排紙路に導く第一のストレート位置を経てこの第一のストレート位置よりも反転位置から離れる位置であって用紙をストレート排紙路に導く第二のストレート位置までの距離を変位可能に設けられ、切替爪を反転位置に向けて付勢する付勢部材と、原稿トレイの変位動作に連動し原稿トレイを原稿ガイド位置に変位させたときに切替爪を第一のストレート位置に強制的に変位させ原稿トレイを開放位置に変位させたときに切替爪を自由状態に解放する連動部材と、切替爪を第二のストレート位置に変位させる手動操作部と、第一のストレート位置と第二のストレート位置との間に配設されて付勢部材の付勢力よりも強い係止力をもって切替爪に弾性的に係止する係止部とを具備するので、原稿トレイを原稿ガイド位置に変位させたときには、切替爪を連動部材により強制的に第一のストレート位置に変位させるため、用紙をストレート排紙路に導くことができる。また、原稿トレイを開放位置に変位させたときには、切替爪が連動部材から解放され付勢力によって反転位置に変位するため、用紙を反転排紙路に導いて用紙スタッカに格納する使用形態を得ることができる。さらに、原稿トレイを開放位置に変位させた場合には、切替爪を手動操作によって第二のストレート位置に変位させて係止部で係止状態に保持することにより、用紙をストレート排紙路を介して排紙する使用形態を選択することもできる。
【００８３】
請求項１４記載の発明は、請求項１３記載の発明において、付勢部材は少なくとも第一のストレート位置から反転位置までの範囲で切替爪を反転位置方向に付勢するので、原稿トレイを開放位置から原稿ガイド位置に向けて途中まで変位させて戻した場合には、付勢部材により切替爪を反転位置に復帰させることができる。これにより、原稿トレイを開放位置に位置させた状態に合わせて用紙を用紙スタッカに排紙する使用形態に速やかに復帰させることができる。これにより、切替爪がその可動範囲の中間位置で停止することに起因するジャムの発生を防止することができる。
【００８４】
請求項１５記載の発明は、請求項１記載の発明において、原稿トレイを原稿ガイド位置に変位させたときには、原稿トレイの変位動作によって用紙をストレート排紙路に導くストレート位置に切替爪を強制的に変位させて係止状態に保持し、切替爪が前記ストレート位置に位置する状態では原稿トレイを単独で開放位置に変位可能にし、原稿トレイを開放位置に変位させたときには、切替爪の係止状態を解除して前記ストレート位置から用紙を反転排紙路に導く反転位置に向けて手動操作により復帰可能にするので、原稿トレイを原稿ガイド位置に変位させたときには、切替爪を強制的にストレート位置に変位させて係止状態に保持し用紙をストレート排紙路に導く使用形態を得ることができる。切替爪をストレート位置に保持する状態では原稿トレイを単独で開放位置に変位させることができるため、原稿トレイを開放位置に変位させた状態で用紙をストレート排紙路に排紙する使用形態を選択することができるとともに、手動操作により切替爪を保持状態から解除して反転位置に変位させることにより、原稿トレイを開放位置に変位させた状態で用紙を反転排紙路に導く使用形態を選択することもできる。
【００８５】
請求項１６記載の発明は、請求項１記載の発明において、切替爪は、用紙を反転排紙路に導く反転位置から用紙をストレート排紙路に導く第一のストレート位置を経てこの第一のストレート位置よりも反転位置から離れる位置であって用紙をストレート排紙路に導く第二のストレート位置までの距離を変位可能に設けられ、切替爪を少なくとも第一のストレート位置から反転位置に向けて付勢する付勢部材と、原稿トレイの変位動作に連動し原稿トレイを原稿ガイド位置に変位させたときに切替爪を第二のストレート位置に強制的に変位させ原稿トレイを開放位置に変位させたときに切替爪を自由状態に解放する連動部材と、切替爪を第一、第二のストレート位置の間を変位させる手動操作部と、第一のストレート位置と第二のストレート位置との間に配設されて付勢部材の付勢力よりも強い係止力をもって切替爪に弾性的に係止する係止部とを具備するので、原稿トレイを原稿ガイド位置に変位させたときには、切替爪を連動部材により強制的に第二のストレート位置に変位させて係止部で係止状態に保持し、用紙をストレート排紙路に導く使用形態を得ることができる。この状態で、原稿トレイを開放位置に変位させたときには、切替爪を係止部により第二のストレート位置に保持して用紙をストレート排紙路に排紙する使用形態に維持することができ、また、原稿ガイドを開放位置に変位させた状態で、手動操作部を操作して切替爪と係止部との係止状態を外すことにより、切替爪を付勢部材の付勢力によって反転位置に変位させ、用紙を反転排紙路に導いて用紙スタッカに格納する使用形態を選択することもできる。
【図面の簡単な説明】
【図１】本発明の実施の第一の形態における画像出力装置の内部構造を示す縦断側面図である。
【図２】原稿ガイド位置に位置する原稿トレイと切替爪との関係を示す側面図である。
【図３】開放位置に位置する原稿トレイと切替爪との関係を示す側面図である。
【図４】本発明の実施の第二の形態における連動部材と切替爪との関係を示す側面図である。
【図５】本発明の実施の第三及び第四の形態における分離爪とアクチュエータとの関係を示す側面図である。
【図６】本発明の実施の第五の形態における画像出力装置の内部構造を示す縦断側面図である。
【図７】開閉カバーの背面図である。
【図８】開閉カバーの正面図である。
【図９】原稿トレイを開放位置に変位させたときの切替爪の状態を開閉カバーとともに示す縦断側面図である。
【図１０】原稿トレイを原稿ガイド位置に変位させたときの切替爪の状態を開閉カバーとともに示す縦断側面図である。
【図１１】切替爪の動作位置を開閉カバーとともに示す縦断側面図である。
【図１２】本発明の実施の第六の形態における切替爪の動作位置を開閉カバーとともに示す縦断側面図である。
【符号の説明】
２  画像読取装置
３  印字装置
６  原稿トレイ
２６  用紙スタッカ
２７  受け板
２８  ストレート排紙路
２９  反転排紙路
３１  切替爪
３３  駆動手段、連動部材
３６  制限部材
３８  駆動手段、アクチュエータ
４２  切替爪
４３，４４  連動部材
４６  付勢部材
５０  係止部
５１  手動操作部
Ａ  開放位置
Ｂ  原稿ガイド位置
ａ  反転位置
ｂ  第一のストレート位置
ｃ  第二のストレート位置
Ｓ  用紙
Ｄ  原稿
【図１】
0003644622.tif 000002
【図２】
0003644622.tif 000003
【図３】
0003644622.tif 000004
【図４】
0003644622.tif 000005
【図５】
0003644622.tif 000006
【図６】
0003644622.tif 000007
【図７】
0003644622.tif 000008
【図８】
0003644622.tif 000009
【図９】
0003644622.tif 000010
【図１０】
0003644622.tif 000011
【図１１】
0003644622.tif 000012
【図１２】
0003644622.tif 000013